(57)【要約】【課題】ユーザの日々の移動に伴う圏外又は所定の電波強度以下となる位置への接近時間を判定してウェブアクセスを行い、圏外又は所定の電波強度以下となる位置への接近の検出精度を高めることができる携帯情報端末等を提供する。【解決手段】制御部１０１はユーザの日々の移動に伴う携帯情報端末の受信電波強度の時間的変動を示す情報と、その変動時における携帯情報端末の位置情報を記憶部１０５に蓄積し、蓄積された情報に基づいて圏内から圏外に接近し又は所定の電波強度以下（弱電界）となる位置へ接近する時刻を判定する。そして、判定された時刻に、予め登録されたＵＲＬにウェブアクセスし、ウェブコンテンツを記憶部１０５にキャッシュしておき、圏外又は弱電界状態となる位置でのウェブアクセス時に表示部１０３上に、キャッシュしておいたウェブコンテンツを参照できるように表示する。【選択図】図４
2014027701.tif 000002
【特許請求の範囲】
【請求項１】
ユーザの日々の移動に伴う当該携帯情報端末の受信電波強度の時間的な変動を示す情報と、該変動時における当該携帯情報端末の位置を示す情報とを蓄積する蓄積手段と、
前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する判定手段と、
前記判定された時刻に、予め登録されたＵＲＬにウェブアクセスを行い、該ウェブアクセスで取得したウェブコンテンツを所定の記憶部にキャッシュしておく手段と、
ユーザによる圏外又は所定の電波強度以下でのウェブアクセス時に、前記記憶部にキャッシュしておいたウェブコンテンツを表示する表示手段と、
を備え、
前記判定手段によって前記所定の電波強度以下となる位置へ接近する時刻を判定する際の該所定の電波強度は、圏内から圏外への接近を判定する際の電波強度とは異なる受信電波強度であり、ユーザは、圏外又は所定の電波強度以下となる日々の特定の時間帯にウェブアクセスによって、前記表示手段により表示されたウェブコンテンツを閲覧できることを特徴とする携帯情報端末。
【請求項２】
ユーザの日々の移動に伴う当該携帯情報端末の受信電波強度の時間的な変動を示す情報と、該変動時における当該携帯情報端末の位置を示す情報とを蓄積する工程と、
前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する工程と、
前記判定された時刻に、予め登録されたＵＲＬにウェブアクセスを行い、該ウェブアクセスで取得したウェブコンテンツを所定の記憶部にキャッシュしておく工程と、
ユーザによる圏外又は所定の電波強度以下でのウェブアクセス時に、前記記憶部にキャッシュしておいたウェブコンテンツを表示する工程と、
を含み、
前記判定工程において前記所定の電波強度以下となる位置へ接近する時刻を判定する際の該所定の電波強度は、圏内から圏外への接近を判定する際の電波強度とは異なる受信電波強度であり、ユーザは、圏外又は所定の電波強度以下となる日々の特定の時間帯にウェブアクセスによって、前記表示工程で表示されたウェブコンテンツを閲覧できることを特徴とするウェブ閲覧方法。
【請求項３】
コンピュータを、
ユーザの日々の移動に伴う当該携帯情報端末の受信電波強度の時間的な変動を示す情報と、該変動時における当該携帯情報端末の位置を示す情報とを蓄積する蓄積手段、
前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する判定手段、
前記判定された時刻に、予め登録されたＵＲＬにウェブアクセスを行い、該ウェブアクセスで取得したウェブコンテンツを所定の記憶部にキャッシュしておく手段、
ユーザによる圏外又は所定の電波強度以下でのウェブアクセス時に、前記記憶部にキャッシュしておいたウェブコンテンツを表示する表示手段、
として機能させ、
前記判定手段によって前記所定の電波強度以下となる位置へ接近する時刻を判定する際の該所定の電波強度は、圏内から圏外への接近を判定する際の電波強度とは異なる受信電波強度であり、ユーザが、圏外又は所定の電波強度以下となる日々の特定の時間帯にウェブアクセスすることによって、前記表示手段により表示されたウェブコンテンツを閲覧できるようにするプログラム。
【発明の詳細な説明】
【技術分野】
【０００１】
本発明は、携帯電話機等の携帯情報端末及びそのウェブ閲覧方法に関するものである。
【背景技術】
【０００２】
従来の携帯電話機は、圏外におけるウェブアクセスは不可能である。基地局の増設や高性能なアンテナの搭載により圏外エリアが減少している一方で、携帯電話機は移動を伴うことが前提とされており、例えば、車や電車等での高速移動、地下鉄での移動、或いは建物内で使用されるため、全ての場所で十分な電波強度を確保できるものではない。
【０００３】
そこで、例えば、特許文献１には、位置情報や電界強度に基づいて圏外になることを検出し、通信端末が圏内に存在する内にメール通信等の必要な通信動作を行うことが記載されている。
【０００４】
また、特許文献２には、定期的に更新されるＷｅｂページ（ブログや掲示板等）を無線ＬＡＮ通信網圏内の場合に、予め登録されたものやアクセス頻度の高いものを自動的に携帯端末装置にダウンロードしてキャッシュメモリに保存しておき、無線ＬＡＮ通信網圏外の場合には、キャッシュメモリに保存されたＷｅｂページ等を表示することが記載されている。
【先行技術文献】
【特許文献】
【０００５】
【特許文献１】特開２００６−１２８９１４号公報
【特許文献２】特開２００８−２５２３７６号公報
【発明の概要】
【発明が解決しようとする課題】
【０００６】
上述のように何時でもどこでも携帯電話機のサービスを利用できることが求められている一方で、圏外時には受けられないサービスがある。その中でも、必ずしも即時性が求められないウェブアクセスのサービスに関しては、圏内・圏外でサービスレベルに大きな差異が発生している。即ち、何時でもどこでも使用できることが求められる携帯電話機において、圏外においてウェブアクセスができないことは、利便性の面で課題があった。
【０００７】
特許文献１には無線通信端末が圏内に存在する内にメール通信等を行うことが記載されているが、電波強度等に基づいて圏内か圏外かを判断しているため、何らかの原因で一時的に電波状況が悪くなる場合にも、通信動作を行う恐れがある。なお、特許文献２には無線ＬＡＮ通信網圏内の場合に予め登録されたもの等をダウンロードすることが記載されているが、無線ＬＡＮ通信網との接続が可能な場合にＷｅｂページのダウンロードを行うものである。
【０００８】
本発明の目的は、ユーザの日々の移動に伴う情報に基づいて圏外又は受信電波強度が所定値以下となる位置への接近時間を判定してウェブアクセスを行うことにより頻繁にウェブアクセスを行うことがなく、圏外又は受信電波強度が所定値以下となる位置への接近の検出精度を高めることが可能な携帯情報端末及びそのウェブ閲覧方法を提供することにある。
【課題を解決するための手段】
【０００９】
本発明に係る携帯情報端末は、ユーザの日々の移動に伴う当該携帯情報端末の受信電波強度の時間的な変動を示す情報と、該変動時における当該携帯情報端末の位置を示す情報とを蓄積する蓄積手段と、前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する判定手段と、前記判定された時刻に、予め登録されたＵＲＬにウェブアクセスを行い、該ウェブアクセスで取得したウェブコンテンツを所定の記憶部にキャッシュしておく手段と、ユーザによる圏外又は所定の電波強度以下でのウェブアクセス時に、前記記憶部にキャッシュしておいたウェブコンテンツを表示する表示手段と、を備え、前記判定手段によって前記所定の電波強度以下となる位置へ接近する時刻を判定する際の該所定の電波強度は、圏内から圏外への接近を判定する際の電波強度とは異なる受信電波強度であり、ユーザは、圏外又は所定の電波強度以下となる日々の特定の時間帯にウェブアクセスによって、前記表示手段により表示されたウェブコンテンツを閲覧できることを特徴とする。
また、本発明に係るウェブ閲覧方法は、ユーザの日々の移動に伴う当該携帯情報端末の受信電波強度の時間的な変動を示す情報と、該変動時における当該携帯情報端末の位置を示す情報とを蓄積する工程と、前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する工程と、前記判定された時刻に、予め登録されたＵＲＬにウェブアクセスを行い、該ウェブアクセスで取得したウェブコンテンツを所定の記憶部にキャッシュしておく工程と、ユーザによる圏外又は所定の電波強度以下でのウェブアクセス時に、前記記憶部にキャッシュしておいたウェブコンテンツを表示する工程と、を含み、前記判定工程において前記所定の電波強度以下となる位置へ接近する時刻を判定する際の該所定の電波強度は、圏内から圏外への接近を判定する際の電波強度とは異なる受信電波強度であり、ユーザは、圏外又は所定の電波強度以下となる日々の特定の時間帯にウェブアクセスによって、前記表示工程で表示されたウェブコンテンツを閲覧できることを特徴とする。
また、本発明に係るプログラムは、コンピュータを、ユーザの日々の移動に伴う当該携帯情報端末の受信電波強度の時間的な変動を示す情報と、該変動時における当該携帯情報端末の位置を示す情報とを蓄積する蓄積手段、前記蓄積された情報に基づいて、日々の特定の時間帯に特定の位置において圏内から圏外又は前記受信電波強度が所定値以下となる傾向から、圏内から圏外に接近し又は所定の電波強度以下となる位置へ接近する時刻を判定する判定手段、前記判定された時刻に、予め登録されたＵＲＬにウェブアクセスを行い、該ウェブアクセスで取得したウェブコンテンツを所定の記憶部にキャッシュしておく手段、ユーザによる圏外又は所定の電波強度以下でのウェブアクセス時に、前記記憶部にキャッシュしておいたウェブコンテンツを表示する表示手段、として機能させ、前記判定手段によって前記所定の電波強度以下となる位置へ接近する時刻を判定する際の該所定の電波強度は、圏内から圏外への接近を判定する際の電波強度とは異なる受信電波強度であり、ユーザが、圏外又は所定の電波強度以下となる日々の特定の時間帯にウェブアクセスすることによって、前記表示手段により表示されたウェブコンテンツを閲覧できるようにすることを特徴とする。
【発明の効果】
【００１０】
本発明によれば、ユーザの日々の移動に伴う携帯情報端末の受信電波強度の時間的な変動やその変動時における携帯情報端末の位置を示す情報に基づいて、圏外又は圏外とは異なる所定の電波強度以下の弱電界状態となる位置への接近時間を判定し、その判定した時間にウェブアクセスを行い、そのコンテンツをキャッシュしておくことにより、圏外又は弱電界状態となった場合におけるサービスレベルを向上できると共に、何らかの原因で一時的に電波状況が悪くなる場合等に頻繁にウェブアクセスを行うことがなく、圏外又は弱電界状態となる位置への接近の精度を高めることが可能となる。
【図面の簡単な説明】
【００１１】
【図１】本発明の概念を示す概念図である。
【図２】本発明に係る携帯情報端末の一実施形態の構成を示すブロック図である。
【図３】ユーザが圏内から圏外へ移動する中で圏外への接近を検出してウェブアクセスを行う動作を説明するフローチャートである。
【図４】ユーザのウェブアクセス時の動作を説明するフローチャートである。
【図５】ユーザの行動パターンから圏外への接近時間を予測してウェブアクセスを行う例を説明する図である。
【発明を実施するための形態】
【００１２】
本実施形態では、ユーザの日々の移動に伴う当該携帯情報端末の受信電波強度の時間的な変動を示す情報を蓄積し、蓄積された情報に基づいて、日々の特定の時間帯に前記受信電波強度が所定値以下となる傾向を求め、該傾向よりユーザの行動パターンを統計的に解析した結果をもとに、圏内から圏外に接近し又は所定の電波強度以下となる時刻を予測する。また、予測された時刻に予め登録されたＵＲＬにウェブアクセスを行い、圏外又は所定の電波強度以下となる前にウェブコンテンツをキャッシュしておき、ユーザによる圏外又は所定の電波強度以下でのウェブアクセス時にキャッシュしておいたウェブコンテンツを表示する。
次に、発明を実施するための形態について図面を参照して詳細に説明する。図１は本発明の概念を示す図である。図１に示すように本発明に係る携帯電話機１０１は、ウェブアクセス機能、ウェブコンテンツのキャッシュ機能、圏内から圏外への接近を検出する機能を有する。この携帯電話機は、圏内から圏外への移行が想定される時点で、予め登録されたＵＲＬにアクセスを行い、ウェブコンテンツを携帯電話機内にキャッシュしておくものである。
【００１３】
図２は本発明に係る携帯情報端末としての携帯電話機の一実施形態を示すブロック図である。図中１０１は携帯電話機内の各部を制御する制御部、１０２は通話、電子メール、ウェブアクセス等を行う無線通信部、１０３は各種コンテンツの表示等を行うＬＣＤ等の表示部である。
【００１４】
また、１０４は位置情報を取得するＧＰＳ、１０５は電話帳、電子メール等の保存はもちろんのこと、ウェブコンテンツのキャッシュ、電波強度の時間変動、電波強度の位置情報等を保存する記憶部である。図２では一般的に携帯電話機に装備されている電池、アンテナ、マイク、スピーカ、カメラ等は省略している。
【００１５】
次に、本実施形態の動作を図２乃至図４を参照して詳細に説明する。図３はユーザが圏内から圏外へ移動する中で電波強度の変動を監視し、圏外への接近を検出する動作を示すフローチャートである。携帯電話機の制御部１０１は、常時、電波強度を監視しており、電波強度が予め設定したレベルとなり、圏外への接近を検出すると（Ｓ１０１）、制御部１０１は無線通信部１０２を制御して予め登録してあるＵＲＬへのアクセスを行い（Ｓ１０２）、ウェブコンテンツを取得する。取得したウェブコンテンツはキャッシュとして携帯電話機内の記憶部１０５に保存しておく（Ｓ１０３）。ユーザは予めアクセスするＵＲＬを登録している。
【００１６】
図４はユーザがウェブアクセスを行う時の動作を説明するフローチャートである。図４に示すようにユーザの操作によりウェブアクセスが行われると（Ｓ１０４）、制御部１０１は電波強度に基づいて圏外であるか圏内であるかを判定する（Ｓ１０５）。圏内であれば指定されたＵＲＬにウェブアクセスを行い（Ｓ１０６）、その結果を表示部１０３の画面上に表示する。圏外である場合には記憶部１０５にキャッシュしているウェブコンテンツを表示部１０３の画面上に表示する（Ｓ１０７）。
【００１７】
また、本発明は、ユーザが圏内から圏外に移動する際に予め指定したＵＲＬにアクセスを行い、ウェブコンテンツをキャッシュとして保存するだけでなく、電波強度の時間的な変動を蓄積し、その情報に基づいて圏外若しくは弱電界状態への接近時間を予測して自動的にウェブアクセスを行っても良い。
【００１８】
つまり、人間は日々同じようなパターンで行動している場合が多い。通常、企業や役所等に勤務している場合には、通勤時間帯は限定されており、その時間帯においては、例えば、電車等で移動を行っているため、電波強度の弱い状況になり得るものと考えられる。
【００１９】
そのような行動パターンの傾向を利用し、時々刻々と変動する日々の電波強度の変動を蓄積すると、特定の時間帯において電波強度が弱い傾向が現れる。そこで、電波強度が弱い時間帯において所定のＵＲＬに事前にウェブアクセスを行い、コンテンツを記憶部１０５にキャッシュしておく。キャッシュしておいたウェブコンテンツは図４と同様に表示する。
【００２０】
図５は本例の動作を説明する図である。なお、携帯電話機の構成は図２の構成と同じものとする。まず、携帯電話機の制御部１０１はユーザの日々の移動に伴う電波強度の時間的な変動の情報を記憶部１０５に蓄積する。制御部１０１は図５に示すようにこの情報からユーザの日々の行動パターンを統計的に解析し、圏外（弱電界状態）への接近時間を予測する。
【００２１】
制御部１０１はその予測時刻になると、予め登録されたＵＲＬに自動的にウェブアクセスを行い、記憶部１０５にウェブコンテンツをキャッシュしておく。そのため、圏外でのウェブアクセス実行時にキャッシュしたコンテンツを表示することにより、ウェブコンテンツを参照することが可能となる。また、本例では、ユーザの日々の行動パターンに基づいて統計的に圏外への接近時間を予測しているため、圏外への接近時間の精度を高めることが可能となる。
【００２２】
つまり、図３で説明したように電波強度に基づいて圏外への接近を検出する場合には、何らかの原因で一時的に電波状況が悪くなることがある。そのため、例えば、ユーザがトンネルを通過する等の一時的に電波状況が悪くなる場合でもウェブアクセスを行い、頻繁にウェブアクセスを行うことになる。本例では、ユーザの日々の行動パターンに基づいて圏外への接近時間を予測しているため、頻繁にウェブアクセスを行うことがなく、圏外への接近時間の精度を高めることが可能となる。
【００２３】
更に、上述のようなユーザの移動に伴う電波強度の変動と、自機の位置情報を図２のＧＰＳ１０４により取得して記憶部１０５に蓄積し、この情報から圏外状態もしくは弱電界状態となる場所を解析し、圏外状態若しくは弱電界状態となる場所への接近をウェブアクセスの契機としても良い。そうすることで、同様に圏外、弱電界への接近の精度を高めることが可能となる。
【００２４】
なお、以上の実施形態の携帯情報端末は、ハードウェアによっても実現できるが、コンピュータをその携帯端末装置として機能させるためのプログラムをコンピュータがコンピュータ読み取り可能な記録媒体から読み込んで実行することによっても実現することができる。また、以上の実施形態の携帯情報端末のウェブアクセス方法は、ハードウェアによっても実現できるが、コンピュータにその方法を実行させるためのプログラムをコンピュータがコンピュータ読み取り可能な記録媒体から読み込んで実行することによっても実現することができる。
【符号の説明】
【００２５】
１０１  制御部
１０２  無線通信部
１０３  表示部
１０４  ＧＰＳ
１０５  記憶部
【図１】
2014027701.tif 000003
【図２】
2014027701.tif 000004
【図３】
2014027701.tif 000005
【図４】
2014027701.tif 000006
【図５】
2014027701.tif 000007